(57)【要約】【課題】湿し水の温度上昇による性能劣化を防止し、湿し水の水温を定温安定化し、安定した品質の印刷を可能にし、さらに水舟中のインキカスなどのゴミも容易に取り除ける湿し水冷却機構を備えた水舟装置を提供する。【解決手段】オフセット印刷機に使用される湿し水を供給する水舟装置であって、湿し水を溜める水舟と、水舟に湿し水を供給する給水手段と、水舟から湿し水を排水する排水手段と、水舟の外底面に備えられ湿し水を冷却する冷却手段と、冷却媒体を供給するための配管とタンクを備えた冷却媒体供給手段と、タンク内の冷却媒体を冷却する冷凍機と、水舟の湿し水の水温を測る温度センサーと、測定した湿し水の水温に応じてタンクの冷却媒体の温度を制御する温度制御手段とを備えたことを特徴とするオフセット印刷機の水舟装置。【選択図】図５
2010201763.tif 000002
【特許請求の範囲】
【請求項１】
オフセット印刷機に使用される湿し水を供給する水舟装置であって、湿し水を溜める水舟と、水舟に湿し水を供給する給水手段と、水舟から湿し水を排水する排水手段と、水舟の外底面に備えられ湿し水を冷却する冷却手段と、冷却媒体を供給するための配管とタンクを備えた冷却媒体供給手段と、タンク内の冷却媒体を冷却する冷凍機と、水舟の湿し水の水温を測る温度センサーと、測定した湿し水の水温に応じてタンクの冷却媒体の温度を制御する温度制御手段とを備えたことを特徴とするオフセット印刷機の水舟装置。
【請求項２】
水舟に湿し水を供給する給水口は水舟底面の中央に設けられ、水舟から湿し水を排水する排水口は水舟底面の長手方向に対して左右両側に複数個設けられたことを特徴とする請求項１記載のオフセット印刷機の水舟装置。
【請求項３】
水舟に溜められた湿し水の温度を計測する温度センサーと、冷却媒体を供給するための配管とを水舟の長手方向に対して左右に一対設けたことを特徴とする請求項１または２に記載のオフセット印刷機の水舟装置。
【請求項４】
水舟の底面の形状は傾斜曲面であることを特徴とする請求項１から３のいずれかに記載のオフセット印刷機の水舟装置。
【発明の詳細な説明】
【技術分野】
【０００１】
本発明はオフセット印刷機で使用される湿し水の水舟装置に関する。
【背景技術】
【０００２】
オフセット印刷方式は、印刷版（以下、版）上のインキが載ってはならない親水性の非画線部と親油性のインキが載る画線部によって、版上での絵柄に応じたインキの付着の有無を制御している。オフセット印刷法はこの原理によりブランケットを介して印刷用紙にそのインキ画像を転写する方式である。
【０００３】
オフセット印刷においては、上述のように親油性と親水性の作用によりインキと湿し水を版上に付着させる。そのため、版上に供給される湿し水の量が少ない場合はシャドウ部の潰れや、非画線部の地汚れが発生するといった問題がある。一方、供給される湿し水の量が過剰な場合は、ハイライト部にインキがつかなくなり、素抜けが発生するといった問題がある。以上のように、適切な量の湿し水が版に供給される必要がある。
【０００４】
図１にオフセット印刷における湿し水の給水機構の全体図を示す。湿し水は、湿し水のメインタンクである給水タンク１からポンプ２で吸引され水舟３に供給される。給水タンク１には冷凍機４が内蔵されており、湿し水が該冷凍機４で冷却され、湿し水が冷却された状態で印刷機側に供給される。湿し水を給水タンク１で冷却させているのは、湿し水自体の粘性維持による安定した水上がりを付与させるためである。湿し水の一部は版面に供給され本来の湿し水としての機能を果たし消費されるが、大部分の湿し水は中間タンク５を経て給水タンク１に循環して戻り再び使用される。
【０００５】
中間タンク５は水舟３から排水された湿し水を溜め、水舟３から排水された湿し水に発生している泡を消滅させるとともに、湿し水に含まれた紙粉などの異物やインキの固まりをフィルタ６により濾過する役割がある。中間タンク５内の湿し水はポンプ７により吸引されて給水タンク１に戻される。給水タンク１においてもフィルタ８により戻された湿し水は濾過される。消費された量の湿し水は給水タンク１内に追加補充される。
【０００６】
オフセット印刷機内における湿し水を版面に供給する給水機構を図２に示す。湿し水は、湿し水が溜められている水舟３から水元ローラ９を回転させて調量ローラ１０、振りローラ１１、水着けローラ１２を経て、版胴１３上の版面に供給される。水元ローラ９は、所定水位で湿し水が貯留される水舟３に対して、その一部が湿し水に浸漬されるように配設されている。
【０００７】
水舟３の詳細な説明図を図３に示す。図３（ａ）は水舟の上面図、図３（ｂ）は（ａ）において線分ＡＡ’で切断したときの断面を示す図、図３（ｃ）は（ａ）において線分ＢＢ’で切断したときの断面を示す図である。図３（ａ）に示すように、平面視長方形状をなす上端開口の皿状をなす水舟本体と、該水舟本体に対して湿し水を供給する給水管１４と、湿し水を再び中間タンクを経て給水タンク１に戻す排出口１６からなる。このとき、給水管の給水口１５から流れた湿し水は、水元ローラを通して版面に供給され印刷時に消費され、湿し水の大半は排出口１６を通じて給水タンク１に戻される。
【０００８】
図３(a)に示したように、水舟は細長い構造をしているため、給水口１５付近では湿し水が勢いよく流れるが、給水口１５から離れるにつれてその勢いが弱まってしまう。そのため、水舟本体内において、図３(a)の排水口１６付近（図中Ｃ領域）では、湿し水の澱みや水流の偏りが多く発生する。
【０００９】
水流の偏りにより水舟内に澱みが生じると、その部分には水着けローラ１２、振りローラ１１、調量ローラ１０、水元ローラ９を介して水舟に到達した紙粉やインキなどの固形物が堆積する。そして、このインキの固形物に湿し水が長時間曝されると、化学的に反応して湿し水が劣化するという問題がある。
【００１０】
また印刷機自体が発熱することにより、湿し水は水舟から版面まで行き渡る間に温まり、水舟３の水温も温まる。これにより粘性が低くなり水上がりが悪くなってしまう。したがって、湿し水の給水タンク１の水温が低温安定化されていても、水舟３の水温が給水タンク１より高くなってしまうという問題がある。
【００１１】
給水タンク１で冷却された湿し水は以上のような経路を経て版面に供給されるため、オフセット印刷物において安定した品質を保つためには、湿し水の品質、特に水温をいかに保つかが重要になっている。
【００１２】
これらの問題に対し、多くの先行技術が提案されている。例えば、特許文献１では、水舟内の湿し水を冷却させるために冷却媒体を通す冷却管を設けたものが提案されている。しかし、これでは水舟の中に給水管と冷却管の２本のと配管が存在することになる。水舟の中に配管が多数存在すると水舟内のインキカス等が付着しやすくなり、かつ清掃が困難になるという問題がある。また、水舟内の湿し水の水流が妨げられるという問題もある。
【先行技術文献】
【特許文献】
【００１３】
【特許文献１】特開２００５−１２５６４０号公報
【発明の概要】
【発明が解決しようとする課題】
【００１４】
本発明は前記問題点に鑑みたものであり、湿し水の温度上昇による性能劣化を防止し、湿し水の水温を定温安定化し、安定した品質の印刷を可能にし、さらに水舟中のインキカスなどのゴミも容易に取り除ける湿し水冷却機構を備えた水舟装置を提供する。
【課題を解決するための手段】
【００１５】
上記課題を解決するための手段として、請求項１に記載の発明は、オフセット印刷機に使用される湿し水を供給する水舟装置であって、湿し水を溜める水舟と、水舟に湿し水を供給する給水手段と、水舟から湿し水を排水する排水手段と、水舟の外底面に備えられ湿し水を冷却する冷却手段と、冷却媒体を供給するための配管とタンクを備えた冷却媒体供給手段と、タンク内の冷却媒体を冷却する冷凍機と、水舟の湿し水の水温を測る温度センサーと、測定した湿し水の水温に応じてタンクの冷却媒体の温度を制御する温度制御手段とを備えたことを特徴とするオフセット印刷機の水舟装置である。
【００１６】
請求項２に記載の発明は、水舟に湿し水を供給する給水口は水舟底面の中央に設けられ、水舟から湿し水を排水する排水口は水舟底面の長手方向に対して左右両側に複数個設けられたことを特徴とする請求項１記載のオフセット印刷機の水舟装置である。
【００１７】
請求項３に記載の発明は、水舟に溜められた湿し水の温度を計測する温度センサーと、冷却媒体を供給するための配管とを水舟の長手方向に対して左右に一対設けたことを特徴とする請求項１または２に記載のオフセット印刷機の水舟装置である。
【００１８】
請求項４に記載の発明は、水舟の底面の形状は傾斜曲面であることを特徴とする請求項１から３のいずれかに記載のオフセット印刷機の水舟装置である。
【発明の効果】
【００１９】
請求項１記載の本発明により、湿し水の温度上昇による性能劣化を防止し、水舟中の水温を低温安定化し、安定した品質の印刷を可能にする。
【００２０】
請求項２記載の本発明により、水舟内の湿し水の流れを左右均一化することが出来、請求項３記載の本発明によって、水舟内の湿し水の水温を一定にすることが可能となり、印刷の幅方向にわたって安定した品質の印刷を可能にする。
【図面の簡単な説明】
【００２１】
【図１】湿し水給水機構の全体図。
【図２】印刷ユニット内の湿し水給水機構の説明図。
【図３】(a)は水舟の上面図、(b)は(a)において線分ＡＡ’で切断したときの断面を示す図、(c)は(a)において線分ＢＢ’で切断したときの断面を示す図。
【図４】本発明に係る水舟の上面図。
【図５】本発明に係る水舟（図４において線分ＣＣ’で切断したときの断面を示す図）と、それに付随する給水手段、排水手段、冷却手段、冷却媒体供給手段、冷凍機と、温度センサーと、温度制御手段の説明図。
【図６】本発明に係る水舟において、図４の線分ＤＤ’で切断したときの断面図。
【図７】本発明に係る水舟に設けた別の排水口を示す図。
【発明を実施するための形態】
【００２２】
以下に本発明の実施形態について図面を参照して説明する。
【００２３】
図４から図６は本発明に係るオフセット印刷機に使用される湿し水を供給する水舟装置３０を説明するための図であって、図４は水舟装置３０の上面図、図５は図４において線分ＤＤ’で切断したときの断面を示す図、図６は図４において線分ＥＥ’で切断したときの断面を示す図である。この水舟装置３０は、従来と同様に、版面の非画線部に湿し水を供給する水元ローラと調量ローラと振りローラと水着けローラのローラ群を有する湿し水供給手段とを備えたオフセット印刷機に配設されるものである。
【００２４】
図５に示すように湿し水を溜める水舟１７の底部の外側には厚い構造を有した空間１７ａがあり、空間１７ａには水舟１７の長手方向の中心部に水舟に湿し水を供給する給水手段である給水管２０と、水舟１７の長手方向の一端に水舟から湿し水を排水する排水手段である排水管２１ａと冷却媒体を流す配管２２ａと、反対側の一端に水舟から湿し水を排水する排水手段である排水管２１ｂと冷却媒体を流す配管２２ｂとが内蔵されている。また、水舟内の湿し水の水温を測定する温度センサー２３ａと２３ｂが設けられている。これらの温度センサーは、例えば熱電対を採用することができ、計測温度を電気信号に変換して出力できるものであればよい。
【００２５】
配管２２ａと配管２２ｂと冷却媒体を溜めるためのタンク２４ａ、２４ｂは冷却媒体供給手段であって、配管２２ａと配管２２ｂは水舟１７の外底面に接するように配置され、それぞれタンク２４ａ、２４ｂに接続されている。タンク内の冷却媒体を冷却する冷却手段である冷凍機２５ａ、２５ｂがそれぞれタンク２４ａ、２４ｂに内蔵され、冷凍機２５ａ、２５ｂによって冷却媒体が冷やされる。冷やされた冷却媒体は、ポンプ２６ａ、２６ｂによって汲み上げられ、水舟１７の底部の外側に接するように配置された配管２２ａ、２２ｂを経て再びタンク２４ａ、２４ｂに戻る。このように、冷却媒体はタンク２４ａ、２４ｂと水舟の底部の外側を循環する。
【００２６】
水舟の湿し水の水温を測る温度センサー２３ａ、２３ｂ、冷凍機２５ａ、２５ｂはタン
クの冷却媒体の温度を制御する温度制御手段である温度制御部２７に接続されており、温度センサーで計測された温度計測データに従って、温度制御部２７によって冷凍機を制御して、冷却媒体の温度が一定に保たれる。
【００２７】
また、水舟１７において、水舟に湿し水を供給する給水管２０の給水口１８は水舟底面の中央に設けられ、水舟から湿し水を排水する排水口１９ａ及び排出口１９ｂは水舟底面の左右両側に複数個設けられ、その結果給水口１８から供給される湿し水の流れが左右均一になる。このことにより、水舟の水温が左右で不均一であることを防ぐことができ、湿し水が澱んでインキカスが溜まりにくくなるという効果が得られる。
【００２８】
排水口は、排水口１９ａ及び排出口１９ｂに限定されるものではなく、図７に示すように更に排水口２８ａ及び排出口２８ｂを設けても良い。その結果、更に湿し水の澱みを軽減してインキカスが溜まりにくくなるというより一層の効果が得られる。
【００２９】
また、温度制御部に接続された温度センサー２３ａ、２３ｂを設けることにより、印刷機の発熱により上昇した湿し水の水温をリアルタイムに計測することができる。望ましい水温に対して上昇が確認された場合は、温度制御部２７で冷凍機を制御して、水舟内の配管２２ａ、２２ｂに流れる冷却媒体の温度を下げることで水舟内の湿し水の水温を下げることができる。
【００３０】
また、温度センサーと冷却媒体を流す配管は水舟の長手方向に対して左右に一対設けられ、左右独立して制御することを可能とし、湿し水の水温が左右でバラつきの無い制御が出来る。
【００３１】
冷却媒体を通す配管２２ａと配管２２ｂを水舟の外底面に接するように設けることによって冷却媒体の温度を湿し水に伝えやすいようにするためである。更に配管２２ａ、配管２２ｂの周りには、断熱材を設けるなどして冷却媒体の冷気が外に逃げないようにすることが望ましい。
【００３２】
更に、図５に示すように水舟１７の底部の外側の厚い構造を有した空間１７ａには遮蔽壁２９を設けることが望ましく、その結果、外気と遮断した空間とすることが出来、冷却効果を高めることが出来る。
【００３３】
図６のよう水舟の底面の形状は傾斜曲面であって、この結果、給水口１８から排水口１９ａ及び排水口１９ｂへ水を流れやすくすることが出来る。
【００３４】
以上のように、本発明のオフセット印刷機の水舟装置によれば、湿し水の温度上昇による性能劣化を防止し、水舟中の水温を低温安定化し、水舟内の湿し水の流れを左右均一化し、水舟内の湿し水の水温を一定にすることが可能となり、印刷の幅方向にわたって安定した品質の印刷を可能にする。さらに水舟中のインキカスなどのゴミも容易に取り除くことが可能となる。
【符号の説明】
【００３５】
１・・・給水タンク
２・・・ポンプ
３・・・水舟
４・・・冷凍機
５・・・中間タンク
６・・・フィルタ
７・・・ポンプ
８・・・フィルタ
９・・・水元ローラ
１０・・・調量ローラ
１１・・・振りローラ
１２・・・水着けローラ
１３・・・版胴
１４・・・給水管
１５・・・給水管の給水口
１６・・・排出口
１７・・・水舟
１７ａ・・・水舟１７の底部の外側の厚い構造を有した空間
１８・・・給水口
１９ａ、１９ｂ・・・排水口
２０・・・給水管
２１、２１ａ、２１ｂ・・・排水管
２２、２２ａ、２２ｂ・・・冷却媒体を流す配管
２３ａ、２３ｂ・・・温度センサー
２４ａ、２４ｂ・・・冷却媒体を溜めるタンク
２５ａ、２５ｂ・・・冷凍機
２６ａ、２６ｂ・・・ポンプ
２７・・・温度制御部
２８ａ、２８ｂ・・・排水口
２９・・・遮蔽壁
３０・・・水舟装置
【図１】
2010201763.tif 000003
【図２】
2010201763.tif 000004
【図３】
2010201763.tif 000005
【図４】
2010201763.tif 000006
【図５】
2010201763.tif 000007
【図６】
2010201763.tif 000008
【図７】
2010201763.tif 000009
【手続補正書】
【提出日】平成21年5月14日(2009.5.14)
【手続補正１】
【補正対象書類名】明細書
【補正対象項目名】００１２
【補正方法】変更
【補正の内容】
【００１２】
これらの問題に対し、多くの先行技術が提案されている。例えば、特許文献１では、水舟内の湿し水を冷却させるために冷却媒体を通す冷却管を設けたものが提案されている。しかし、これでは水舟の中に給水管と冷却管の２本の配管が存在することになる。水舟の中に配管が多数存在すると水舟内のインキカス等が付着しやすくなり、かつ清掃が困難になるという問題がある。また、水舟内の湿し水の水流が妨げられるという問題もある。
【手続補正２】
【補正対象書類名】明細書
【補正対象項目名】００１４
【補正方法】変更
【補正の内容】
【００１４】
本発明は前記問題点に鑑みたものであり、湿し水の温度上昇による性能劣化を防止し、湿し水の水温を低温安定化し、安定した品質の印刷を可能にし、さらに水舟中のインキカスなどのゴミも容易に取り除ける湿し水冷却機構を備えた水舟装置を提供する。
【手続補正３】
【補正対象書類名】明細書
【補正対象項目名】００２１
【補正方法】変更
【補正の内容】
【００２１】
【図１】湿し水給水機構の全体図。
【図２】印刷ユニット内の湿し水給水機構の説明図。
【図３】(a)は水舟の上面図、(b)は(a)において線分ＡＡ’で切断したときの断面を示す図、(c)は(a)において線分ＢＢ’で切断したときの断面を示す図。
【図４】本発明に係る水舟の上面図。
【図５】本発明に係る水舟（図４において線分ＤＤ’で切断したときの断面を示す図）と、それに付随する給水手段、排水手段、冷却手段、冷却媒体供給手段、冷凍機と、温度センサーと、温度制御手段の説明図。
【図６】本発明に係る水舟において、図４の線分ＥＥ’で切断したときの断面図。
【図７】本発明に係る水舟に設けた別の排水口を示す図。